(57)【要約】【課題】  「telto」タグに続けて記述された電話番号のクリックによる電話発信がなされたことを、検索サービスシステムの運用者側で確認できるようにし、広告主に対して確実に広告料金を請求可能とする。【解決手段】  ユーザ端末10は、検索サービス提供サーバ30へ検索キーワードを送信する。検索サービス提供サーバ30は、その検索キーワードに基づいて情報検索を行う。また、検索サービス提供サーバ30は、そのキーワードに関連する広告データと広告主の電話番号を取得し、検索結果と広告データをHTML形式で記述すると共に、電話番号を「telto」タグに続けて記述し、さらに、その電話番号の後に、ユーザ端末10で電話発信がなされた場合にその電話発信ログを検索サービス提供サーバ30へ送るためのURLと電話番号とを記述する。そして、このHTML形式のデータがユーザ端末10へ送られる。【選択図】  図1
2007026375.tif 000002
【特許請求の範囲】
【請求項１】
電話発信機能と、利用者により入力された検索条件の情報を送信する検索条件送信機能と、情報表示機能とを有する利用者端末と、
広告情報とその広告主の電話番号情報とを対応付けて保持するデータベースと、
上記利用者端末から送られてきた検索条件の情報に基づいて、情報検索を行うと共に、上記データベースから上記広告情報と上記広告主の電話番号情報とを読み出す情報検索部と、
上記情報検索部からの検索結果と広告情報及び電話番号情報を上記利用者端末の情報表示機能にて表示可能で且つ、利用者端末による電話発信のイベント発生情報を当該利用者端末から所定の宛先へ送信可能とする所定形式の情報を生成し、当該所定形式の情報を、その利用者端末へ送信する情報生成送信部と、
上記利用者端末から上記所定の宛先へ送信された上記イベント発生情報に基づいて、広告主への電話発信数を集計する電話発信数集計部とを有する
ことを特徴とする情報検索システム。
【請求項２】
上記電話発信数集計部が集計した上記広告主への電話発信のイベント発生情報の集計結果に基づいて、その広告主へ請求する広告料金を算出する請求料金算出部を有する
ことを特徴とする請求項1記載の情報検索システム。
【請求項３】
上記情報生成送信部は、上記所定形式としてHTML形式を用い、当該HTMLのteltoタグに続けて上記電話番号を記述すると共に、その電話番号の後に、上記電話発信のイベント発生情報の宛先と電話発信がなされた電話番号が記述された所定の拡張タグを付加した情報を生成する
ことを特徴とする請求項1記載の情報検索システム。
【請求項４】
上記情報生成送信部は、インターネット上に配置されている上記電話発信数集計部のURLを、上記電話発信のイベント発生情報の宛先の情報として上記所定の拡張タグに記述する
ことを特徴とする請求項3記載の情報検索システム。
【請求項５】
上記情報生成送信部は、上記所定形式としてHTML形式を用い、teltoタグに続けて電話番号が記述されたHTMLファイルをその利用者端末へ返信するための所定のファイル返信サーバのインターネット上のURLを、上記利用者端末の情報表示機能にて表示される電話番号のリンク先として記述した情報を生成する
ことを特徴とする請求項1記載の情報検索システム。
【請求項６】
上記電話発信数集計部は、上記利用者端末から上記所定のファイル返信サーバへのアクセス情報を、上記電話番号に対する上記利用者端末からの電話発信のイベント発生情報として当該ファイル返信サーバから取得する
ことを特徴とする請求項5記載の情報検索システム。
【請求項７】
上記情報生成送信部は、上記所定形式としてHTML形式を用い、上記電話番号への選択アクションを記録するプログラムを実行させる所定のプログラム実行サーバのインターネット上のURLを、上記利用者端末の情報表示機能にて表示される電話番号のリンク先として記述した情報を生成し、
上記プログラム実行サーバは、上記利用者端末での上記電話番号への選択アクションを記録した後、teltoタグに続けて電話番号が記述されたHTMLファイルをその利用者端末へ返信する
ことを特徴とする請求項1記載の情報検索システム。
【請求項８】
上記電話発信数集計部は、上記プログラム実行サーバにて記録された上記電話番号への選択アクションの情報を、その電話番号に対する上記利用者端末からの電話発信のイベント発生情報として当該プログラム実行サーバから取得する
ことを特徴とする請求項7記載の情報検索システム。
【請求項９】
上記利用者端末は、情報検索用アプリケーションを起動させる指示を利用者が入力するための専用の起動指示部を有する
ことを特徴とする請求項1記載の情報検索システム。
【請求項１０】
上記利用者端末は、上記起動指示部にて上記情報検索用アプリケーションが起動したときに実行中の他のアプリケーションにて使用される情報に応じて、情報の検索先を決定する機能を備えている
ことを特徴とする請求項9記載の情報検索システム。
【請求項１１】
上記利用者端末若しくは上記利用者に関連する情報を、上記利用者にて入力された検索条件に付加するフィルタリング処理を行う付加フィルタリング部を有する
ことを特徴とする請求項1記載の情報検索システム。
【請求項１２】
上記情報検索部の検索結果を、上記利用者端末若しくは上記利用者に応じて最適化するフィルタリング処理を行う最適化フィルタリング部を有する
ことを特徴とする請求項1又は請求項11に記載の情報検索システム。
【請求項１３】
上記情報検索部は、検索条件とそれに対応した検索内容の情報を保存しておく機能を有する
ことを特徴とする請求項1記載の情報検索システム。
【請求項１４】
利用者端末から送られてきた検索条件の情報に基づいて、情報検索を行うと共に、広告情報とその広告主の電話番号情報を取得するステップと、
上記検索結果と広告情報及び電話番号情報を上記利用者端末の表示部にて表示可能で且つ、利用者端末による電話発信のイベント発生情報を当該利用者端末から所定の宛先へ送信可能とする所定形式の情報を生成し、当該所定形式の情報を、その利用者端末へ送信するステップと、
上記利用者端末から上記所定の宛先へ送信された上記イベント発生情報に基づいて、広告主への電話発信数を集計するステップとを有する
ことを特徴とする情報検索方法。
【請求項１５】
上記広告主への電話発信のイベント発生情報の集計結果に基づいて、その広告主へ請求する広告料金を算出するステップを有する
ことを特徴とする請求項14記載の情報検索方法。
【請求項１６】
上記所定形式の情報を生成して送信するステップでは、上記所定形式としてHTML形式を用い、当該HTMLのteltoタグに続けて上記電話番号を記述すると共に、その電話番号の後に、上記電話発信のイベント発生情報の宛先と電話発信された電話番号が記述された所定の拡張タグを付加した情報を生成する
ことを特徴とする請求項14記載の情報検索方法。
【請求項１７】
上記所定形式の情報を生成して送信するステップでは、インターネット上に配置されている電話発信数集計用の所定サーバのURLを上記電話発信のイベント発生情報の宛先の情報として上記所定の拡張タグに記述する
ことを特徴とする請求項16記載の情報検索方法。
【請求項１８】
上記所定形式の情報を生成して送信するステップでは、上記所定形式としてHTML形式を用い、teltoタグに続けて電話番号が記述されたHTMLファイルをその利用者端末へ返信するための所定のファイル返信サーバのインターネット上のURLを、上記利用者端末の表示部にて表示される電話番号のリンク先として記述した情報を生成する
ことを特徴とする請求項14記載の情報検索方法。
【請求項１９】
上記電話発信数を集計するステップでは、上記利用者端末から上記所定のファイル返信サーバへのアクセス情報を、上記電話番号に対する上記利用者端末からの電話発信のイベント発生情報として当該所定のファイル返信サーバから取得する
ことを特徴とする請求項18記載の情報検索方法。
【請求項２０】
上記所定形式の情報を生成して送信するステップでは、上記所定形式としてHTML形式を用い、上記電話番号への選択アクションを記録するプログラムを実行させる所定のプログラム実行サーバのインターネット上のURLを、上記利用者端末の表示部にて表示される電話番号のリンク先とした情報を生成し、
上記利用者端末での上記電話番号への選択アクションを記録した後、teltoタグに続けて電話番号が記述されたHTMLファイルをその利用者端末へ返信するステップを有する
ことを特徴とする請求項14記載の情報検索方法。
【請求項２１】
上記電話発信数を集計するステップでは、上記記録された上記電話番号への選択アクションの情報を、その電話番号に対する上記利用者端末からの電話発信のイベント発生情報として上記所定のプログラム実行サーバから取得する
ことを特徴とする請求項20記載の情報検索方法。
【請求項２２】
上記利用者端末で所定の情報検索用アプリケーションが起動したときに、当該利用者端末で実行中の他のアプリケーションにて使用される情報に応じて、情報の検索先を決定するステップを有する
ことを特徴とする請求項14記載の情報検索方法。
【請求項２３】
上記利用者端末若しくは上記利用者に関連する情報を、上記利用者にて入力された検索条件に付加する付加フィルタリング処理を行うステップを有する
ことを特徴とする請求項14記載の情報検索方法。
【請求項２４】
上記検索結果を、上記利用者端末若しくは上記利用者に最適化する最適化フィルタリング処理を行うステップを有する
ことを特徴とする請求項14又は請求項23に記載の情報検索方法。
【請求項２５】
上記情報検索のステップでは、検索条件とそれに対応した検索内容の情報を保存するステップを有する
ことを特徴とする請求項14記載の情報検索方法。
【発明の詳細な説明】
【技術分野】
【０００１】
本発明は、検索エンジンによる検索結果と広告とを連動させた検索サービスを提供する情報検索システム及び情報検索方法に関する。
【背景技術】
【０００２】
従来より、例えばパーソナルコンピュータや携帯電話機等の情報通信端末を通じ、ユーザからキーワードが入力された場合に、その入力されたキーワードから得られた検索結果の情報と併せて、そのキーワードに関連した広告の情報を情報通信端末へ送り、それら検索結果と広告を端末画面上に表示させるようになされた検索サービスシステムが知られている。
【０００３】
また、この検索サービスシステムにおいて、上記検索結果と連動して端末画面に表示される広告には、例えば広告主等のサイトへのリンクが貼られている。そして、当該検索サービスシステムによれば、例えばユーザからのクリック操作等により、その広告が選択され、当該広告のリンク先への接続が行われたり、さらにその広告のリンク先でユーザにより商品等の購入が行われた場合、広告主から当該検索サービスシステムの運営者に対して報酬（つまり広告料金）が支払われるようになされている。
【０００４】
また、この検索サービスシステムでは、特に、携帯電話機向けのサービスとして、上記検索結果と併せて広告主の電話番号を画面表示させるようなサービスも提供されている。この場合、検索サービスシステムから携帯電話機へ提供されるコンテンツは、上記検索結果の情報と共に、例えばHTML（Hyper Text Markup Language）のタグの一つである「telto」に続けて電話番号が記述されたコンテンツとなされる。すなわち、近年の殆どの携帯電話機は、上記「telto」タグに続けて電話番号が記述されたコンテンツを画面表示している状態で、例えばユーザからのクリック操作等により当該電話番号が選択されたときに、その電話番号へ直接発信する機能を備えている。そして、検索サービスシステムでは、上記「telto」タグに続けて電話番号が記述されたコンテンツを携帯電話機に提供することにより、ユーザから広告主への電話発信を誘導している。
【０００５】
特開2002−203179号の公開特許公報（特許文献1）には、ホームページ上に表示されたバナー広告を利用者がキー操作等によりクリックしたとき、そのクリック回数（アクセスの回数）をカウントし、そのアクセスの回数に応じて広告主からサービス提供サーバの運営者に広告料を支払い、また、利用者に対してはアクセス回数に応じた特典を与えるようにした広告方法及びサーバ及び端末が開示されている。
【特許文献１】特開2002-203179号公報（第3図及び第4図）
【発明の開示】
【発明が解決しようとする課題】
【０００６】
上述したように、従来の検索サービスシステムでは、上記検索結果と併せて画面表示された広告へのクリックが行われた場合、そのクリック数に応じて、広告主から広告料金等の報酬を受け取る仕組みが構築されている。
【０００７】
一方、現状の携帯電話システムの場合、電話発信については携帯電話通信事業者によってのみ管理されているため、前述した「telto」タグに続けて記述された電話番号のクリックによる電話発信がなされた場合であっても、携帯電話通信事業者ではない検索サービスシステムの運用者側では、そのこと（電話発信がなされたこと）を知ることができない。したがって、検索サービスシステムの運用者側は、その電話番号によりユーザから広告主へのアクセスがなされていたとしても、広告主に対して広告料金を請求することができない。
【０００８】
このようなことから、「telto」タグに続けて記述された電話番号のクリックによる電話発信がなされたことを、検索サービスシステムの運用者側で知り得ることができ、広告主に対して確実に広告料金を請求できる仕組みの構築が望まれている。
【０００９】
そこで、本発明は上記問題を解決すべくなされたものであり、「telto」タグに続けて記述された電話番号のクリックによる電話発信がなされたことを、検索サービスシステムの運用者側で確認でき、広告主に対して確実に広告料金を請求できる情報検索システム及び情報検索方法を提供することをその目的とする。
【課題を解決するための手段】
【００１０】
本願に係る発明は上記課題を解決すべくなされたものであり、本発明は、利用者端末から送られてきた検索条件の情報に基づいて、情報検索を行うと共に、広告情報とその広告主の電話番号情報を取得し、それら検索結果と広告情報及び電話番号情報を利用者端末の表示部にて表示可能で且つ、利用者端末による電話発信のイベント発生情報を当該利用者端末から所定の宛先へ送信可能とする所定形式の情報を生成し、さらに当該所定形式の情報を利用者端末へ送信した後、利用者端末から所定の宛先へ送信されたイベント発生情報に基づいて広告主への電話発信数を集計する。
【００１１】
このような本発明によれば、利用者端末へは、検索結果と広告情報及び電話番号情報と共に、利用者端末による電話発信のイベント発生情報を当該利用者端末から所定の宛先へ送信可能とする所定形式の情報が送られる。したがって、所定の宛先へ送信されたイベント発生情報を用いれば、広告主への電話発信数を集計することができる。
【００１２】
また、本発明においては、広告主への電話発信のイベント発生情報を集計した結果に基づいて、その広告主へ請求する広告料金を算出する。
【００１３】
このような本発明によれば、電話発信数に応じた広告料を広告主に請求することができる。
【００１４】
また、本発明においては、所定形式としてHTML形式を用い、当該HTMLのteltoタグに続けて電話番号を記述すると共に、その電話番号の後に、電話発信のイベント発生情報の宛先と電話発信された電話番号が記述された所定の拡張タグを付加した情報を生成する。
【００１５】
このような本発明によれば、電話発信動作に併せて、イベント発生情報を所定の宛先へ送ることができるため、電話発信履歴を確実に記録することができる。
【００１６】
また、本発明においては、インターネット上に配置されている電話発信数集計用の所定サーバのURLを電話発信のイベント発生情報の宛先の情報として所定の拡張タグに記述する。
【００１７】
このような本発明によれば、電話発信数集計用の所定サーバは、既存のインターネット上に置くことができるため、低コストで電話発信数を集計できることになる。
【００１８】
また、本発明においては、所定形式としてHTML形式を用い、teltoタグに続けて電話番号が記述されたHTMLファイルをその利用者端末へ返信するための所定のファイル返信サーバのインターネット上のURLを、利用者端末の表示部にて表示される電話番号のリンク先として記述した情報を生成する。
【００１９】
このような本発明によれば、既存のHTMLタグを利用しているため、利用者端末のブラウザは別途新たなタグをサポートする必要がない。
【００２０】
また、本発明においては、電話発信数の集計の際には、利用者端末から所定のファイル返信サーバへのアクセス情報を、電話番号に対する利用者端末からの電話発信のイベント発生情報として当該所定のファイル返信サーバから取得する。
【００２１】
このような本発明によれば、利用者端末にて利用者が「電話をかけようとした意識」を、数値化して知ることができる。
【００２２】
また、本発明においては、所定形式としてHTML形式を用い、電話番号への選択アクションを記録するプログラムを実行させる所定のプログラム実行サーバのインターネット上のURLを、利用者端末の表示部にて表示される電話番号のリンク先とした情報を生成し、利用者端末での電話番号への選択アクションを記録した後、teltoタグに続けて電話番号が記述されたHTMLファイルをその利用者端末へ返信する。
【００２３】
また、本発明においては、電話発信数を集計する際に、記録された電話番号への選択アクションの情報を、その電話番号に対する利用者端末からの電話発信のイベント発生情報として所定のプログラム実行サーバから取得する。
【００２４】
これらのような本発明によれば、利用者端末にて利用者が「電話をかけようとした意識」を、数値化して知ることができると共に、利用者端末は電話番号の選択アクションにより、その電話番号への発信を行うことができる。
【００２５】
また、本発明においては、利用者端末で所定の情報検索用アプリケーションが起動したときに、当該利用者端末で実行中の他のアプリケーションにて使用される情報に応じて、情報の検索先を決定する。
【００２６】
このような本発明においては、情報検索用アプリケーションと他のアプリケーションを連携させることができるため、より効率的な情報検索が可能となる。
【００２７】
また、本発明においては、利用者端末若しくは利用者に関連する情報を、利用者にて入力された検索条件に付加するフィルタリング処理を行う。
【００２８】
また、本発明においては、検索結果を、利用者端末若しくは利用者に応じて最適化するフィルタリング処理を行う。
【００２９】
これらのような本発明においては、より利用者や利用者端末に応じて最適化された検索結果が得られることになる。
【００３０】
また、本発明においては、検索条件とそれに対応した検索内容の情報を保存するため、より簡単且つ効率的な検索が可能となる。
【発明の効果】
【００３１】
以上説明したように本発明によれば、利用者端末による電話発信のイベント発生情報を当該利用者端末から所定の宛先へ送信可能となされているため、その所定の宛先へ送信されたイベント発生情報から、広告主への電話発信数を集計することができ、したがって、利用者端末において電話番号のクリック等による電話発信がなされたことを、検索サービスシステムの運用者側で確認でき、その結果、広告主に対して確実に広告料金を請求することができることになる。
【発明を実施するための最良の形態】
【００３２】
次いで、本発明を実施するための最良の形態について、図を参照しつつ説明する。図1には、本発明が適用される一実施形態としての検索サービスシステムの概略的な全体構成を示す。
【００３３】
（システム構成）
図1において、ユーザ端末10は、携帯電話機であり、通常の携帯電話機が備えている携帯電話網への通信機能の他、ウェブブラウザ、メーラ、ショートメッセージサービス（SMS）等の各アプリケーションや、本実施形態に係る情報検索に用いられる専用アプリケーション（以下、サーチアプリケーションと呼ぶ。）を備えている。また、上記ウェブブラウザ、メーラ、ショートメッセージサービスの各アプリケーション及び上記サーチアプリケーションは、例えば、「telto」タグに続けて電話番号が記述されたコンテンツが画面表示されている状態で、ユーザからのクリック操作等により当該電話番号が選択されたときに、その電話番号へ直接発信する機能を実行可能となされている。
【００３４】
そして、本実施形態の検索サービスシステムを利用した情報検索を行う場合、ユーザ端末10は、インターネット20を介して、本実施形態に係る検索サービス提供サーバ30へ接続し、当該検索サービス提供サーバ30が情報検索を行うための検索条件の情報（本実施形態では例えば検索キーワード）を、その検索サービス提供サーバ30へ送信する。なお、図示は省略しているが、ユーザ端末10には、上記ウェブブラウザ、メーラ、ショートメッセージサービス、サーチアプリケーション以外のアプリケーション、すなわち例えば、音楽プレーヤアプリケーションやカメラアプリケーション、ビューワアプリケーションなどのような通常の携帯電話機が備えている各種アプリケーションも実装されていることは言うまでもない。
【００３５】
本実施形態の検索サービスシステムの検索サービス提供サーバ30は、ゲートウェイ機能及び後述するフィルタリングプロセス機能を備えたゲートウェイエンジン31と、情報検索のための検索用データベースを備えた検索エンジン32と、インターネット20を介してアクセスしてきたユーザ端末10からの各種要求に対して応答を行うR＆Aシステム33と、この検索サービス提供サーバ30における各種の設定等をコントロールするためのコントロールパネル34とを有して構成されている。また、コントロールパネル34は、キーワード検索により得られた検索結果に連動した広告の管理システム、広告主へ広告料金を請求するための計算を行う請求システム、キーワード検索に例えば課金が伴う場合の課金システム等の制御、及び、それらに必要な各種処理も行う。
【００３６】
また、この検索サービス提供サーバ30は、インターネット20を介して、他の複数の検索エンジン（図1では三つの検索エンジン41〜43のみ示している。）や、他の複数のウェブサイト（図1では5個のウェブサイト51〜55のみ示している。）とも接続可能となされ、キーワード検索の際には、それら他の検索エンジンやウェブサイトからも情報を検索可能となされている。
【００３７】
（検索サービス提供サーバの動作フロー（概略））
図2には、検索サービス提供サーバ30の概略的な動作のフローチャートを示す。図2において、検索サービス提供サーバ30は、ユーザ端末10からインターネット20を通じて送られてくる検索キーワードを受信（S101）すると、内部のキーワード検索用データベースに格納されている情報や、インターネット20を介して接続した他の検索エンジン41〜43、他のウェブサイト51〜55の情報を用いた、キーワード検索処理（S102）を行う。
【００３８】
また、検索サービス提供サーバ30は、予め用意されている広告データ用データベースから、上記キーワード検索処理（S102）に用いられた検索キーワードに関連した広告データを取り出し、その広告データを検索結果に付加した配信コンテンツの生成処理（S103）を行う。上記配信コンテンツ内の広告データには、いわゆるバナー広告のデータの他、広告主の電話番号の情報も含まれる。
【００３９】
ここで、上記電話番号の情報は、例えばHTMLの「telto」タグに続けて記述される。また、本実施形態の場合、図3及び図4に示すように、上記HTMLの「telto」タグに続く電話番号の後には、電話発信イベント発生情報の宛先と電話発信した電話番号を記述するための所定の拡張タグ（「A」タグの拡張タグ、以下「SponURL」と表記する。）がさらに追加されている。すなわち、当該「SponURL」は、図3及び図4に示すように、電話発信のイベント発生情報の履歴を通知すべきサーバのURLと、「telto」により電話発信がなされた場合の当該発信電話番号の情報とからなる（以下、これら電話発信のイベント発生情報と発信電話番号の情報をまとめて「電話発信ログ」と表記する）。これら電話発信ログが通知されるサーバのURLは、例えば検索エンジン提供者や広告代理店が運営する管理サーバのURLであり、本実施形態の場合は検索サービス提供サーバ30のURLとなる。なお、図3には「SponURL」の体系例を示し、図4には「SponURL」の使用（記述）方法例を示している。
【００４０】
次に、検索サービス提供サーバ30は、上記配信コンテンツを、ユーザ端末10へ配信（S104）する。
【００４１】
これによりユーザ端末10では、検索結果と共に広告が画面表示されることになる。そして、例えば図5に示すように、上記広告の一つとして画面表示されている電話番号が、ユーザからのクリック操作等により選択されると、当該ユーザ端末10は、その電話番号への電話発信を行うことになる。また、上記電話番号のクリックに基づく電話発信が行われた場合、ユーザ端末10は、上述の拡張タグ（「SponURL」）に記述されている情報に基づいて、その電話番号に宛てた電話発信が行われたことを示す電話発信ログを、本実施形態の検索サービス提供サーバ30へ送信する処理を行う。
【００４２】
したがって、検索サービス提供サーバ30は、上記ユーザ端末10へのコンテンツ配信（S104）を行った後には、そのユーザ端末10から電話発信ログが受信されたか否かを判断し（S105）、電話発信ログが受信されたとき（ステップS105 における”Yes”）には、請求システムにて当該電話発信ログに基づく広告料金の算出と請求の処理（S106）を行う。すなわち、検索サービス提供サーバ30の請求システムは、全てのユーザ端末から得られた電話発信ログを集計して利用履歴データベースに保存し、当該利用履歴データベースに保存した情報に基づいて、各電話番号への電話発信回数に応じた広告料金、つまり各広告主（例えば図2のスポンサーA，B，C）毎の広告料金を計算し、それら広告料金を各電話番号の広告主（スポンサーA，B，C）に対して請求する。これにより、各スポンサーからは、広告料金の支払いが行われることになる。一方、ステップS105において電話発信ログが受信されなければ（ステップS105 における”No”）、処理を終了する。
【００４３】
なお、本実施形態のシステムにおいて、キーワード検索に使用される各キーワードは、オークション形式で出品され、スポンサーA〜Cは、当該オークション形式で出品された各キーワードのうち、所望のキーワードに対して入札を行うことが可能となされている。そして、或るキーワードについて、複数のスポンサーA〜Cからの入札が行われた場合、最も高い入札価格を提示したスポンサーに対して当該キーワードを独占的に使用する権利を与えるか、若しくは、当該キーワードを用いた検索がなされたときに、例えば入札価格の高い順に各スポンサーの広告に優先順位を付ける。
【００４４】
（検索サービス提供サーバの動作フロー（前処理））
図6には、検索サービス提供サーバ30にて行われる前処理のフローチャートを示す。この前処理は、図2の検索キーワード受信処理（S101）の前段階にて行われる処理であり、例えば検索サービスを開始する前、若しくは新たな広告主が加入したときなどに行われる。
【００４５】
図6において、検索サービス提供サーバ30では、前処理として、各広告主（スポンサーA〜C）の情報と、各広告主からの広告情報及びそれら各広告主の電話番号とが対応付けられ、それら情報が広告データ用データベースに保存される。
【００４６】
（検索サービス提供サーバの動作フロー（検索処理））
図7には、検索サービス提供サーバ30にて行われるキーワード検索処理（図2のS102）の詳細なフローチャートを示す。図7において、ユーザ端末10から例えば電子メール等を利用して検索キーワードが送られてくると、検索サービス提供サーバ30は、上記検索用データベースから当該キーワードに基づく情報を検索（S210）し、それを検索結果として取得する。またこのとき、検索サービス提供サーバ30は、上記キーワードに関連した広告データを広告データ用データベースから検索する。この広告データは、前述したようにHTML形式で記述されたデータとなされている。
【００４７】
次に、検索サービス提供サーバ30は、上記検索（S210）により得られた広告データ内に「telto」タグが存在するか否か判断（S211）し、「telto」タグが存在しない場合には、上記検索結果と広告データを有する配信コンテンツをそのままユーザ端末10へ送信し、この図7の処理を終了する。
【００４８】
一方、「telto」タグが存在した場合、検索サービス提供サーバ30は、広告用データベースから、「telto」タグに続く電話番号に対応付けられている「SponURL」の情報を取り出し（S212）、その「SponURL」を拡張タグとして、上記「telto」タグに続く電話番号の後ろに追加する（S213）。
【００４９】
その後、検索サービス提供サーバ30は、上記検索結果と「telto」及び「SponURL」を含む広告データとを有する配信コンテンツを、ユーザ端末10へ送信する（S214）。
【００５０】
（ユーザ端末の動作フロー）
図8と図9には、検索サービス提供サーバ30から送られてきたコンテンツを受信したユーザ端末10側の処理のうち、電話発信ログを検索サービス提供サーバ30へ送信する処理部分のフローチャートを示す。なお、図8は、電話発信の前に電話発信ログを送信するようになされている場合のフローチャートを示し、図9には、電話発信の後に電話発信ログを送信するようになされている場合のフローチャートを示す。
【００５１】
先ず、図8のフローチャートから説明する。図8において、ユーザ端末10は、画面上に表示されている電話番号（「telto」タグに続く電話番号）がユーザによりクリック等されて選択（S301）されると、「telto」タグに続く電話番号の後ろに「SponURL」タグが記述されているかどうか判断（S302）する。ここで、「SponURL」タグが記述されていない場合、ユーザ端末10は、上記「telto」タグに続く電話番号への発信（S304）を行った後、このフローチャートの処理を終了する。
【００５２】
一方、「SponURL」タグが記述されている場合、ユーザ端末10は、「SponURL」タグに記述されているURL（この場合は検索サービス提供サーバ30のURL）に宛てて、電話発信が行われることを示す電話発信ログを送信（S303）する。その後、ユーザ端末10は、上記「telto」タグに続く電話番号への発信（S304）を行い、このフローチャートの処理を終了する。
【００５３】
次に、図9のフローチャートの説明を行う。図9において、ユーザ端末10は、画面上に表示されている電話番号（「telto」タグに続く電話番号）がユーザによりクリック等されて選択（S310）されると、当該「telto」タグに続く電話番号への発信（S311）を行う。
【００５４】
それに続けて、ユーザ端末10は、上記「telto」タグに続く電話番号の後ろに「SponURL」タグが記述されているかどうか判断（S312）する。ここで、「SponURL」タグが記述されていない場合、ユーザ端末10は、このフローチャートの処理を終了する。
【００５５】
一方、「SponURL」タグが記述されている場合、ユーザ端末10は、「SponURL」タグに記述されているURL（この場合は検索サービス提供サーバ30のURL）に宛てて、電話発信が行われたことを示す電話発信ログを送信（S313）した後、このフローチャートの処理を終了する。
【００５６】
（検索サービス提供サーバの動作フロー（電話発信ログ集計処理））
図10には、検索サービス提供サーバ30側にて各ユーザ端末10から送られてきた電話発信ログを集計する処理のフローチャートを示す。
【００５７】
この図10において、検索サービス提供サーバ30は、各ユーザ端末10から送られてきた電話発信ログから、それらの電話発信先となされた広告主（スポンサーA〜C）の情報を抽出（S220）する。
【００５８】
次に、検索サービス提供サーバ30は、各広告主毎にユーザ端末からの電話発信の履歴を集計し、利用履歴データベースに保存する（S221）。その後、検索サービス提供サーバ30は、各広告主毎の集計データから、各広告主への広告料金を算出し、各広告主に対してその広告料金の請求を行うことになる。
【００５９】
なお、検索サービス提供サーバ30は、必要に応じて、電話発信のイベントの集計データを各広告主のサーバへ通知（S222）しても良い。
【００６０】
（電話発信ログの他の具体例（HTML使用例））
ここまでの説明では、拡張タグとして用意された「SponURL」の記述に基づいてユーザ端末10から検索サービス提供サーバ30へ電話発信ログを送信する例を挙げたが、本発明では、既存の「HTML」の「A」タグを利用して、画面上の電話番号に貼り付けたリンク先を指定のサーバ（この場合は検索サービス提供サーバ30）とすることで、上記電話発信ログを検索サービス提供サーバ30に送るようにしても良い。
【００６１】
この例の場合、図11に示すように、画面上に表示された電話番号がクリック等により選択されると、ユーザ端末10は、検索サービス提供サーバ30に対して、「A」タグに記述されたHTMLファイルの送信要求を行う。すなわちこのときの「A」タグには、電話番号ではなく、検索サービス提供サーバ30へHTMLファイルを要求するための情報が記述されている。なお、上記電話番号がクリック選択された際、ユーザ端末10の画面上には、電話発信の許諾を求める表示を行うようにし、その許可がユーザから得られたときに、検索サービス提供サーバ30に対して上記HTMLファイルの送信要求を行うようにしても良い。
【００６２】
当該送信要求を受けた検索サービス提供サーバ30は、その要求への応答としてHTMLファイルをユーザ端末10へ配信する。このときのHTMLファイルには、「telto」タグに続けて電話番号が記述されている。したがって、このHTMLファイルを受信したユーザ端末10では、画面上に表示された電話番号がクリック等により選択されると、「telto」タグのコマンドが実行されて電話発信が行われることになる。
【００６３】
この例によれば、検索サービス提供サーバ30は、ユーザ端末10からHTMLファイルの送信要求を受信したときに、そのユーザ端末10にて「電話発信が行われようとしている」こと、つまり、ユーザ端末10のユーザが「電話をかけようとした意識」を、数値化して知ることができ、それを電話発信ログとして集計する。
【００６４】
（電話発信ログの他の具体例（JavaScript使用例））
また、電話発信ログは、例えば図12及び図13に示すように、いわゆるJavaScript（登録商標）が記述されたHTMLページ上での電話番号のリンクに基づいて集計することも可能である。
【００６５】
先ず、キーワード検索が行われたとき、検索サービス提供サーバ30からは、図12に示すような「Main．htm」ファイルの広告データが、ユーザ端末10に対して送信される。
【００６６】
そして、この「Main．htm」ファイルが開かれ、当該「Main．htm」にて画面上に表示された電話番号がクリック等のアクションにより選択されると、ユーザ端末10のブラウザは、その電話番号にリンクされた指定サーバ（この場合は検索サービス提供サーバ30）のURLに対して通信を行う。
【００６７】
これにより、検索サービス提供サーバ30のプログラムは、ユーザ端末10にて電話番号へのクリック等の選択アクションがなされたことを記録することができることになる。すなわち、検索サービス提供サーバ30のプログラムは、ユーザ端末10にて「電話発信が行われようとしている」こと、つまり、ユーザ端末10のユーザが「電話をかけようとした意識」を、数値化して知ることができ、それを電話発信ログとして集計する。
【００６８】
またこのとき、検索サービス提供サーバ30のプログラムは、図13に示すような「Telto．htm」のファイルをユーザ端末10へ送信する。
【００６９】
上記「Telto．htm」のファイルが開かれ、当該「Telto．htm」にて画面上に表示された電話番号がクリック等により選択されると、ユーザ端末10のブラウザは、電話発信の許諾を求める画面表示を行った後、その許可がユーザから得られたときに、「telto」タグに記述された電話番号への発信を行う。
【００７０】
（検索サービス提供サーバ、ユーザ端末、広告主、携帯電話事業者間の関係）
図14には、本実施形態の検索サービス提供サーバ30と広告主（スポンサー70）との間、及び、検索サービス提供サーバ30とユーザ端末10との間、ユーザ端末10と携帯電話通信事業者60との間、携帯電話通信事業者60とスポンサー70との間の関係を示す。
【００７１】
図14において、検索サービス提供サーバ30は、コンテンツ配信会社により運営されており、スポンサー70からコンテンツ配信会社に対しては広告の出稿（T1）が行われる。コンテンツ配信会社の検索サービス提供サーバ30は、ユーザ端末10からのキーワード検索に基づいて、検索結果と共に広告を配信（T2）する。
【００７２】
ユーザ端末10では、検索サービス提供サーバ30から配信された広告内の電話番号のクリック選択がなされると、スポンサー70へ電話発信（T3）を行う。この電話発信は、携帯電話通信事業者60を通じて行われる。また、ユーザ端末10から検索サービス提供サーバ30へは、電話発信ログが送信（T4）される。
【００７３】
検索サービス提供サーバ30は、全てのユーザ端末10から送られてくる電話発信ログを各スポンサー70毎に集計して各スポンサー70毎に広告料金（広告代金）を算出する。そして、検索サービス提供サーバ30は、各スポンサー70に対して広告料金の請求（T5）を行う。
【００７４】
以上説明したように、本実施形態の検索サービスシステムによれば、新たな開発コストをかけず、既存スキームを利用して、ユーザ端末10に配信した広告中の電話番号をユーザがクリック（つまり電話発信）した回数を、電話発信ログとして集計可能となされている。すなわち本実施形態によれば、従来は携帯電話通信事業者60しか知り得なかったユーザ端末10の電話発信履歴を、検索サービスシステムの運用者側（検索サービス提供サーバ30）側でも知ることができるため、広告主（スポンサー70）に対して広告料金を適切に請求することが可能となる。
【００７５】
また本実施形態によれば、広告主は、検索サービスシステムにて提供される広告連動型のキーワード検索を利用することにより、自前のホームページを開設・維持するような負担及びコストを伴う広告活動を行わなくても、多数のユーザ端末へ自社の広告情報を的確に配信可能させることできる。特に、本実施形態の場合、広告の一つとして、既に所有している自社の電話番号の情報を配信することができ、また、ユーザが自らの意思で電話をかけてくることになるため、広告主は、成約確率の高い見込み客を獲得できるようになる。
【００７６】
一方、ユーザ端末10側では、ユーザが知りたい情報を検索できると共に、その検索により得られた情報に関連した広告主へ、自らの意思により直ちに電話をかけることができるようになる。
【００７７】
さらに、本実施形態によれば、電話発信数を増やすことができるため、携帯電話事業者においても通話料収入の増加を見込めるようになり、また、インターネット接続サービスが利用されるため、インターネットサービスプロバイダにとっても契約者数の増加を見込めるようになる。
【００７８】
（サーチボタンとアプリケーション間の連携）
ところで、本実施形態のユーザ端末10は、上述した検索サービスシステムを利用してコンテンツ検索等を行う際に、ユーザにより操作（検索起動指示操作）される専用のサーチボタン（検索ボタン）を実装している。なお、サーチボタンは、ユーザ端末10の筐体上に設けられたハードキーであっても、或いは、ユーザ端末10の画面上に表示されるソフトキーであっても良い。
【００７９】
本実施形態のユーザ端末10は、上記サーチボタンが操作されると、サーチアプリケーションを起動させ、コンテンツ検索用のウィンドウを画面上に表示し、入力インターフェースを自動的に日本語に設定する。
【００８０】
これにより、ユーザは、情報検索時の煩雑なボタン操作から解放され、効率的にコンテンツを検索できるようになる。
【００８１】
また、本実施形態において、図15に示すように、上記サーチボタンに連動して起動するサーチアプリケーションは、当該ユーザ端末10にインストールされている他のアプリケーション（例えばブラウザアプリケーション、音楽プレーヤアプリケーション、ビューワアプリケーション等）と相互に連携可能となされている。一例として、音楽プレーヤアプリケーションを利用しているときにサーチボタンが押下操作された場合、サーチアプリケーションは、ユーザ端末10に最適な音楽ファイル、つまり、当該ユーザ端末10がサポートしている音源やファイルフォーマットなどの音楽ファイルを提供しているサイトを検索し、そのサイトから音楽ファイルをダウンロードし、さらに、音楽プレーヤアプリケーションにてその音楽を再生させるような連携処理を実行することができる。なお、サーチアプリケーションが音楽プレーヤアプリケーションと連携して検索を実行する際の上記音楽ファイル提供サイトの接続先情報は、予め内部に用意されていても良いし、検索サービス提供サーバ30等の外部から取得しても良い。
【００８２】
また、本実施形態によれば、例えばブラウザアプリケーション、音楽プレーヤアプリケーション、ビューワアプリケーションなどの他のアプリケーションからも、サーチアプリケーションによる検索機能が利用できるように、それら他のアプリケーションの実行時のメニューには、以下のような検索用のタブやメニュー項目が用意されている。
【００８３】
例えば、電子メールアプリケーションの場合、例えばアドレス（電話）帳に検索タブが用意されており、当該検索タブを介して、例えば本実施形態の検索サービスシステム上に用意されている電話帳データベースや、他の電話帳検索サイトを検索可能となされている。なお、上記検索タブを介して接続される電話帳データベースや電話帳検索サイトの接続先に関する情報は、予め内部に用意されていても良いし、検索サービス提供サーバ30等の外部から取得しても良い。
【００８４】
また、電子メールアプリケーションの場合、電子メールにて使用されるメニュー項目の一つとして、辞書検索用のメニュー項目が用意されており、その辞書検索用メニュー項目を介して、例えば本実施形態の検索サービスシステム上に用意された例えば国語辞書や和英，英和辞書データベースや、別の辞書検索サイト等から、所望の単語等の情報を検索可能となされている。なお、上記辞書検索用のメニュー項目を介して接続される各辞書データベースや別の辞書検索サイトの接続先に関する情報は、予め内部に用意されていても良いし、検索サービス提供サーバ30等の外部から取得しても良い。
【００８５】
また例えば、画面のいわゆる壁紙や着信メロディを登録するためのアプリケーションの場合、当該登録機能用のメニュー項目の一つとして、コンテンツ検索メニュー項目が用意されており、そのコンテンツ検索メニュー項目を介して、例えば本実施形態の検索サービスシステム上に用意されている壁紙データベースや着信メロディデータベースから、壁紙や着信メロディのコンテンツを検索可能となされている。
【００８６】
すなわち、本実施形態によれば、壁紙データベースや着信メロディデータベースから予めダウンロードしたコンテンツを検索するのではなく、上記コンテンツ検索メニュー項目の選択により、外部の検索サービスシステム上に用意されている壁紙データベースや着信メロディデータベースや、別の壁紙提供サイトや着信メロディ提供サイトから、直接、壁紙や着信メロディのコンテンツを検索可能となされている。なお、上記コンテンツ検索メニュー項目を介して接続される各データベースや提供サイトの接続先に関する情報は、予め内部に用意されていても良いし、検索サービス提供サーバ30等の外部から取得しても良い。
【００８７】
また例えば、カメラアプリケーションの場合、カメラ機能に関連するメニュー項目の一つとして、画像のコンテンツの提供サイトや画像編集用のサイトを検索するための検索メニュー項目が用意されており、その検索メニュー項目を介して、例えば本実施形態の検索サービスシステムの検索サービス提供サーバ30にアクセスすることにより、例えば、別の画像コンテンツ提供サイトや画像編集用サイトを検索可能となされている。なお、上記検索メニュー項目を介して接続される検索サービス提供サーバ30や各サイトの接続先に関する情報は、予め内部に用意されていても良いし、検索サービス提供サーバ30等の外部から取得しても良い。
【００８８】
（キーワード検索実行時のフィルタリング機能）
本実施形態の検索サービスシステムにおいては、前述したようなキーワード検索実行時に、例えば、ユーザの位置情報（ユーザ端末10の位置情報）や端末情報、利用履歴情報などを検索キーワードに付加したり、検索結果をユーザ端末10の画面サイズに合わせたり、ユーザの利用傾向から表示順位を最適化したりするなど、ユーザにとって、より最適な検索結果を提供するためのフィルタリング機能を備えている。なお、検索キーワードへの情報付加は、ユーザ端末10のサーチアプリケーションにより行われる場合（例えば位置情報や端末情報の付加）と、検索サービス提供サーバ30側で行われる場合（例えば利用履歴情報の付加）がある。以下の説明では、検索サービス提供サーバ30側がフィルタリング処理を行う例を挙げる。
【００８９】
例えば図16に示すように、ユーザにより「レストラン」のキーワードが入力された場合、検索サービス提供サーバ30では、上記キーワードの「レストラン」を用いた検索処理を行う際に、例えばユーザ端末10の「位置（場所）」、現在の「日付、時間（2005.X.XX XX.XX）」、「端末番号」、「その他（例えばユーザ嗜好の和食）」などの情報を用いた検索フィルタリング処理を行う。
【００９０】
検索サービス提供サーバ30は、上記ユーザ端末10から送られてきたキーワードと、上記「位置」や「日付、時間」等の付加情報とに基づいて、例えば外部のレストラン検索サイト80へアクセスし、そのレストラン検索サイト80による検索結果の情報を取得する。
【００９１】
さらに、検索サービス提供サーバ30は、上記レストラン検索サイト80から得られた検索結果に対し、ユーザ端末10で扱えるXML，HTML，CSV，TEXT等のデータ形式への変換処理や、ユーザの利用傾向に基づく検索結果の表示並び替え処理、絞り込みキーワード抽出処理、ユーザ端末10の画面サイズに合わせるための情報のリスティング処理などのフィルタリング処理を行って、ユーザ端末10へ送信する。
【００９２】
なお、本実施形態では、検索サービス提供サーバ30がフィルタリング処理を行う例を述べたが、特に、「位置（場所）」、現在の「日付、時間（2005.X.XX XX.XX）」、「端末番号」、「その他（例えばユーザ嗜好の和食）」などの情報を用いたフィルタリング処理については、ユーザ端末10側で行っても良い。
【００９３】
（検索構文機能）
さらに、本実施形態の検索サービスシステムは、ユーザによる検索操作を簡便化するための機能として、特定キーワードと連携して最適な検索結果を返す検索構文機能を備えている。なお、検索構文機能とは、検索パターンを編集、保存する機能であり、使用頻度の高い検索パターンを保存しておくことで、検索条件を選択するだけで簡単に検索を行えるようにする機能である。
【００９４】
すなわち、本実施形態の検索サービスシステムにおいて、例えば「株価」と「A社」のキーワードがユーザ端末10に入力された場合、検索サービス提供サーバ30は、「A社の現在の株価」を例えば株価検索サイトから取得し、それを検索結果として広告データと併せてユーザ端末10へ提供する。なお、株価検索結果の画面には例えば株価チャートへのリンクを配置しておくことも可能である。
【００９５】
図17には、ユーザ端末10に入力されるキーワードと、そのキーワードを検索構文として検索する内容との対応表の一例を示す。なお、この図17の例は、キーワードと検索内容の一部のみを抜粋したものである。この図17の例において、キーワードが「電話」の場合、検索構文ではその「電話番号」が用いられ、キーワードが「時間」の場合、検索構文ではその「地域の時間」が用いられる。以下同様である。
【００９６】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９７】
本実施形態のユーザ端末10は、例えばサーチボタンを押しながら、ユーザが検索したい言葉を発声した場合、その音声をテキスト変換し、当該テキスト変換により得られた情報をキーワードとして用いるようにしても良い。
【００９８】
また、上述の実施形態ではユーザ端末10として携帯電話機を挙げたが、本発明の情報通信端末は、パーソナルコンピュータやPDAなど、それ単体又はそれらに付属するアプリケーション（ウェブブラウザやメールなど）と連携して、インターネットや公衆回線網を通じて電話発信可能な機能を有する機器（例えば一般電話機、IP電話機等）であっても良い。
【００９９】
また、上述の実施形態では、検索サービス提供サーバ30が、情報検索、HTMLファイルの生成、「SponURL」記述、電話発信ログの受信と集計、広告主への広告料金の請求等の全ての処理を行っている例を挙げたが、もちろん、それらは別々のサーバにより行われても良い。
【図面の簡単な説明】
【０１００】
【図１】実施形態に係る検索サービスシステムの概略的な全体構成図である。
【図２】実施形態に係る検索サービス提供サーバの概略的な動作フローチャートである。
【図３】実施形態に係る「SponURL」の体系例を示す図である。
【図４】実施形態に係る「SponURL」の使用（記述）方法例を示す図である。
【図５】実施形態において、ユーザ端末の画面上で電話番号がクリック選択されることで、電話発信とその電話発信ログの送信とが行われる様子の説明に用いる図である。
【図６】実施形態に係る検索サービス提供サーバにて行われる前処理のフローチャートである。
【図７】実施形態に係る検索サービス提供サーバにて行われるキーワード検索処理のフローチャートである。
【図８】実施形態において、広告データを受信したユーザ端末が電話発信ログを検索サービス提供サーバへ送信する処理であり、電話発信の前に電話発信ログを送信する場合のフローチャートである。
【図９】実施形態において、広告データを受信したユーザ端末が電話発信ログを検索サービス提供サーバへ送信する処理であり、電話発信の後に電話発信ログを送信する場合のフローチャートである。
【図１０】実施形態において、各ユーザ端末から送られてきた電話発信ログを検索サービス提供サーバにて集計する処理のフローチャートである。
【図１１】実施形態において、ユーザ端末の画面上で電話番号がクリック選択されたときに、HTMLの「A」タグを利用して電話発信ログを送信する様子の説明に用いる図である。
【図１２】実施形態において、JavaScriptを使用して電話発信ログを取得する場合の「Main．htm」ファイルの記述例を示す図である。
【図１３】実施形態において、JavaScriptを使用して電話発信ログを取得する場合の「Telto．htm」ファイルの記述例を示す図である。
【図１４】実施形態の検索サービス提供サーバと広告主（スポンサー）との間、及び、検索サービス提供サーバとユーザ端末との間、ユーザ端末と携帯電話事業者との間、携帯電話事業者とスポンサーとの間の関係説明に用いる図である。
【図１５】実施形態において、サーチボタンとアプリケーション間の連携についての説明に用いる図である。
【図１６】実施形態において、キーワード検索実行時のフィルタリング機能についての説明に用いる図である。
【図１７】実施形態において、ユーザ端末に入力されるキーワードと、そのキーワードを検索構文として検索する内容との対応表の一例を示す図である。
【符号の説明】
【０１０１】
10…ユーザ端末
20…インターネット
30…検索サービス提供サーバ
31…ゲートウェイエンジン
32…検索エンジン
33…R＆Aシステム
34…コントロールパネル
41〜43…他の検索エンジン
51〜55…他のウェブサイト
60…携帯電話通信事業者
70…スポンサー
80…レストラン検索サイト
【図１】
2007026375.tif 000003
【図２】
2007026375.tif 000004
【図３】
2007026375.tif 000005
【図４】
2007026375.tif 000006
【図５】
2007026375.tif 000007
【図６】
2007026375.tif 000008
【図７】
2007026375.tif 000009
【図８】
2007026375.tif 000010
【図９】
2007026375.tif 000011
【図１０】
2007026375.tif 000012
【図１１】
2007026375.tif 000013
【図１２】
2007026375.tif 000014
【図１３】
2007026375.tif 000015
【図１４】
2007026375.tif 000016
【図１５】
2007026375.tif 000017
【図１６】
2007026375.tif 000018
【図１７】
2007026375.tif 000019